Podtech/llm-jp-corpus-v4-ja_patent huggingface dataset:
(57)【要約】      （修正有）【課題】植物を見映えのする状態で支持する鉢植え植物用支持具を提供する。【解決手段】鉢１に支柱７を立設し、該支柱７の上端に球状部１１を備えさせたことを特徴とする。【選択図】図１
0003153903.tif 000002
【実用新案登録請求の範囲】
【請求項１】
鉢に支柱を立設し、該支柱の上端に球状部を備えさせたことを特徴とする鉢植え植物用支持具。
【考案の詳細な説明】
【技術分野】
【０００１】
本考案は、観葉植物等の鉢植え植物用支持具に関するものである。
【背景技術】
【０００２】
鉢植え植物用支持具としては、特開平１０−５２３４４号公報に示すもの（以下「従来の鉢植え植物用支持具」という。）が知られている。
【０００３】
上記従来の鉢植え植物用支持具は、鉢上に複数本の直線状の支柱を環状をなす複数の連結部材を介して円錐状ないし多角錐状をなすように立設してなるものである。
【先行技術文献】
【特許文献】
【０００４】
【特許文献１】特開平１０−５２３４４号公報
【考案の概要】
【考案が解決しようとする課題】
【０００５】
上記従来の鉢植え植物用支持具は、円錐状ないし多角錐状をなすものであるため、該鉢植え植物用支持具により支持される植物も略円錐状ないし略多角錐状をなすものであって、該植物は必ずしも見映えのするものではない。
【０００６】
本考案は、植物を見映えのする状態で支持する鉢植え植物用支持具を提供しようとしてなされたものである。
【課題を解決するための手段】
【０００７】
上記課題を解決するために、本考案は下記の鉢植え植物用支持具を提供するものである。
【０００８】
鉢に支柱を立設し、該支柱の上端に球状部を備えさせたことを特徴とする鉢植え植物用支持具。
【考案の効果】
【０００９】
本考案による鉢植え植物用支持具は、鉢に立設した支柱の上端に球状部を備えさせているため、該鉢植え植物用支持具により支持される植物の上部は略球状を呈する。したがって、該植物は極めて見映えのするものとなる。
【図面の簡単な説明】
【００１０】
【図１】図１は、本考案による鉢植え植物用支持具の一例を示す断面図である。
【図２】図２は、同上鉢植え植物用支持具の球状部を示す平面図である。
【図３】図１は、同上鉢植え植物用支持具に支持させた植物の一例を示す正面図である。
【考案を実施するための形態】
【００１１】
符号１に示すものは鉢（植木鉢）である。
【００１２】
鉢１の形状、寸法、材質等の如何は問わない。符号３に示すものは排水口、符号５に示すものは土である。
【００１３】
鉢１には、支柱７を立設する。支柱７の下部には、一例として、該支柱７の転倒を防止するための張出部９を設ける。
【００１４】
該支柱７の上端に球状部１１を備えさせる。
【００１５】
図示の事例における球状部１１は、複数の環状体１３を球状に結合させてなるものである。
【００１６】
球状部１１は、例えば、網を球状に形成してなるものであっても差し支えない。
【００１７】
支柱７と張出部９と球状部１１とをそれぞれワイヤで形成し、該支柱７と張出部９と球状部１１とを相互に溶接してもよい。
【００１８】
支柱７と張出部９と球状部１１とをそれぞれワイヤで形成する場合には、該ワイヤには防錆用に合成樹脂の被膜又は塗料の被膜を設けることが望ましい。
【００１９】
鉢植え植物用支持具は、全体を合成樹脂により形成しても差し支えない。
【００２０】
鉢１に鉢植え植物用支持具を設けた後、該鉢１に植物１５を植え付け、該植物１５の茎１７を紐等の結着具１９により支柱７と球状部１１とに結着する。しかるときは、植物１３は球状部１１に結着された上部が略球状を呈する。図３参照。
【００２１】
植え付ける植物１３は、好ましくは、登坂性を有する蔓性観葉植物とし、更に好ましくは、サトイモ科のポトス（オウゴンカズラ）とする。
【符号の説明】
【００２２】
１  鉢
３  排水口
５  土
７  支柱
９  張出部
１１  球状部
１３  環状体
１５  植物
１７  茎
１９  結着具
【図１】
0003153903.tif 000003
【図２】
0003153903.tif 000004
【図３】
0003153903.tif 000005
(57)【要約】      （修正有）【課題】ボートに乗ることにより、バランス感覚を養いながら下半身をシェイプアップする健康器具を提供する。【解決手段】乗り板の平面形状を円形とする。また、乗り板の断面形状は乗り板下面全体を床面に対して凸形の球面形状とし、乗り板外縁は曲面の面取りを施す。乗り板の平面形状が円形であるため、運動中、板の外縁が床に引っかかることに起因する転倒の心配がない。また、乗り板に乗る場合は乗り板外縁部に片足を置き、もう一方の足を乗り板対側外縁に置き、体重を移動すると、乗り板は円滑に水平になっていくので使用者に対し衝撃を与えることがなく、乗り板から降りる場合は前述の手順を逆に行えばよい。さらに、乗り板外縁部の曲面の面取りは、過って手足を挟んだ場合、手足に作用する衝撃を緩和する効果がある。【選択図】図１
0003153332.tif 000002
【実用新案登録請求の範囲】
【請求項１】
乗り板の平面形状を肩幅程度の直径の円形とすること、
乗り板の断面形状は乗り板下面全体を床面に対して、中央部が凸形の球面形状とすること、
乗り板上面は人が乗る上で支障のない勾配を有した面とすること、
乗り板外縁は曲面の面取りが施されていること、
を特徴とするシェイプアップボード。
【考案の詳細な説明】
【技術分野】
【０００１】本考案は下面に凸形のボードに乗ることにより、バランス感覚を養いながら下半身をシェイプアップする健康器具に関するものである。
【背景技術】
【０００２】実用新案登録第３１２８７５２号には、下面に支点が一つの不安定な板に半開脚状態でバランスを取りながら乗って遊ぶ、遊具としてのバランスボードが開示されている。該バランスボードは乗り板の平面形状を特定せず、乗り板の重心位置下面に支点として機能する突起形状の素材を一つ設けた構造の遊具であり、不安定さを克服することでバランス感覚を養うことができる。しかし、支点を設けたことから、バランスを崩した際に板外縁が床面に叩きつけられ、使用者は大きな衝撃を受ける、さらに、板外縁部の突起部が床面に叩きつけられた場合、使用者は大きくバランスを崩し、転倒する可能性がある等、安全性に問題がある。
【先行技術文献】
【特許文献】
【０００３】
【特許文献１】実用新案登録第３１２８７５２号
【考案の概要】
【考案が解決しようとする課題】
【０００４】乗り板への乗降及び使用中において、使用者が大きな衝撃を受け、転倒することが無いように安全性を考慮した形態とする必要がある。
【課題を解決するための手段】
【０００５】乗り板の平面形状を円形とする。また、乗り板の断面形状は乗り板下面全体を床面に対して凸形の球面形状とし、乗り板外縁は曲面の面取りを施す。
【考案の効果】
【０００６】乗り板の平面形状が円形であるため、運動中、板の外縁が床に引っかかることに起因する転倒の心配がない。また、乗り板に乗る場合は乗り板外縁部に片足を置き、もう一方の足を乗り板対側外縁に置き、体重を移動すると、乗り板は円滑に水平になっていくので使用者に対し衝撃を与えることがなく、乗り板から降りる場合は前述の手順を逆に行えばよい。さらに、乗り板外縁部の曲面の面取りは、過って手足を挟んだ場合、手足に作用する衝撃を緩和する効果がある。
【図面の簡単な説明】
【０００７】
【図１】実施形態に係わる乗り板の軸方向一部断面図である。
【図２】実施形態に係わる乗り板の平面図である。
【考案を実施するための形態】
【０００８】乗り板の平面形状を肩幅程度の直径の円形とする。また、乗り板の断面形状は乗り板下面全体を床面に対して凸形の球面形状とし、乗り板上面は人が乗る上で支障のない勾配を有した面とする。さらに、乗り板外縁は曲面の面取りを施す。
【実施例】
【０００９】以下、添付図面に従って実施例を説明する。１は外面を薄肉で強度のある金属、プラスチック等適宣素材で形成した乗り板で、乗り板下面は中央部が凸形の球面形状を成し、乗り板上面には滑り止め３及び、重心位置を示す印４を施す。２は発砲スチロール等の軽量材で構成された、乗り板の過度の変形を防止するための補強材である。尚、乗り板の過度の変形を防止する方法としては、乗り板の外面を薄肉で強度のある金属、プラスチック等適宣素材で形成し、内面に網の目状にリブを配置することにより補強した構造が考えられる。
【産業上の利用可能性】
【００１０】前述の乗り板は構造が簡単であるため、技術的にも経済的にも容易に製作可能である。
【符号の説明】
【００１１】１  乗り板
２  補強材
３  滑り止め
４  重心位置を示す印
【図１】
0003153332.tif 000003
【図２】
0003153332.tif 000004
(57)【要約】      （修正有）【課題】トランプが単語帳のように活用でき、整理しやすく、様々な学習や遊びの道具としても広く使用できるトランプを提供する。【解決手段】トランプのカードにリングなどを通せる穴をあけ、リングなどでまとめたりはずしたりして利用できるトランプを特徴とする。これを使用するときは、トランプの従来のゲームをするときは従来どおりに使用し、トランプを使用しないときはカードを穴の位置をあわせて取り外し可能なリングなどで閉じてまとめておく。単語帳のように使用するときは、リングなどで閉じたまま、めくって使用する。【選択図】図５
0003153336.tif 000002
【実用新案登録請求の範囲】
【請求項１】
トランプのカードにリングやひもなどを通せる穴があいているトランプ。
【考案の詳細な説明】
【技術分野】
【０００１】この発明は、単語帳のようにカードに穴があいたトランプに関するものである。
【背景技術】
【０００２】従来、トランプのカードにはリングやひもを通すような穴が空いていなかった。
【考案の概要】
【考案が解決しようとする課題】
【０００３】これは、次のような欠点があった。従来、トランプのカードは単語帳のようにリングなどでまとめて利用することができなかった。本発明は、以上のような欠点をなくすためになされたものである。
【課題を解決するための手段】
【０００４】トランプのカードにリングやひもなどを通せる穴をあけ、リングやひもなどでまとめたりはずしたりできるようにする。
【考案の効果】
【０００５】トランプが単語帳のように活用できるようになり、整理しやすく、様々な学習や遊びの道具としても広く使用できるようになる。
【図面の簡単な説明】
【０００６】
【図１】本発明の正面図である。
【図２】本発明の背面図である。背面図は全て同一につき１枚のみあらわした。
【図３】本発明の右側面図である。右側面図は全て同一につき１枚のみあらわした。左側面図は右側面図と同一であるため省略してある。
【図４】本発明の平面図である。平面図は全て同一につき１枚のみあらわした。底面図は平面図と同一であるため省略してある。
【図５】本発明を、トランプの穴にリングをとおして正面から見た斜面図である。
【図６】本発明を、トランプの穴にリングでとおして背面から見た斜面図である。
【符号の説明】
【０００７】１  トランプのカード
２  リングやひもなどをとおす穴
【考案を実施するための形態】
【０００８】トランプのカードに穴をあける。これを使用するときは、トランプの従来のゲームをするときは従来どおりに使用し、トランプを使用しないときはカードを穴の位置をあわせて取り外し可能なリングなどで閉じてまとめておく。単語帳のように使用するときは、リングなどで閉じたまま、めくって使用する。
【実施例】
【０００９】図５と図６のように、トランプをまとめて単語帳のように利用したり、カード正面や背面に絵や文字、を書き込んだり、図や写真などを貼ったりして、遊びながら勉強するカード教材にする。
【産業上の利用可能性】
【００１０】遊びながらトランプに書き込んだ図や言葉、または貼り付けた写真などを覚えるような教材として利用が可能である。
【図１】
0003153336.tif 000003
【図２】
0003153336.tif 000004
【図３】
0003153336.tif 000005
【図４】
0003153336.tif 000006
【図５】
0003153336.tif 000007
【図６】
0003153336.tif 000008
(57)【要約】      （修正有）【課題】構造が簡単で根にかかる液肥の深さを調節でき野菜の根腐れや酸素不足を無くすことのできる水耕栽培装置を提供する。【解決手段】水槽１に液肥ボトル３を装着する液肥ボトル受け５と液肥２の深さを調整するボトルストッパー８と根の絡みを防ぐ根仕切板１２と蓋７を設けた電動ポンプを使わない構造が簡単な水耕栽培装置が得られる。【選択図】図２
0003153340.tif 000002
【実用新案登録請求の範囲】
【請求項１】
水槽に、液肥ボトルの液肥ボトル口を挿入する側方水路を複数設けた筒状の液肥ボトル受けと、液肥ボトル口先の位置で液肥の深さを決めるボトルストッパーと、根の絡みを防ぐ根仕切板と蓋により構成した水耕栽培装置。
【請求項２】
培地の動き防止と、根に光が入ることを防ぐ蓋を設けた請求項１記載の水耕栽培装置。
【請求項３】
野菜を育てる液肥を自動で供給する液肥ボトル口と一体となった液肥ボトルを設けた請求項１記載の水耕栽培装置。
【考案の詳細な説明】
【技術分野】
【０００１】  本考案は、室内を問わずどこでも野菜を簡単に栽培できる装置に関する。
【背景技術】
【０００２】  出願番号２００７−１２７１０８，２００４−３８２７２１，２００３−４３６８５７の水耕栽培装置で液肥を野菜の根元に送り余分な液肥はタンクに溜める。又、溜めた液肥をポンプにより再度送る循環型のやり方が主流である。【０００３】  それにより、ポンプを動かす電気が必要である。
【考案の開示】
【考案が解決しようとする課題】
【０００４】  しかしながら、このような方法ではポンプと電気代がかかり、液肥を溜めるタンクの置場と液肥に雑菌が繁殖するなどの不都合が生じる。【０００５】  本考案は、電気代・ポンプ・菌の繁殖を無くす装置を提供することと、根の絡みを無くす装置を提供することにある。
【課題を解決するための手段】
【０００６】  本考案の水耕栽培装置は、上記目的を達成するために液肥の流れる水路と液肥の深さを決めるボトルストッパーを備えた液肥ボトル受けと、液肥の流れる液肥通り管を備え根の絡みを防ぐ根仕切板を設けた水槽により構成したものである。【０００７】  この手段により、構造が簡単で液の供給が自動的且つ効率良くできる。又、根の絡みを防ぐ水耕栽培装置が得られる。【０００８】  また、培地の動きを防止し根に光が入るのを防ぐための蓋を設けたものである。【０００９】  この手段により、生育の良い水耕栽培装置が得られる。【００１０】  また、野菜用の液肥を供給する液肥ボトル口以外、開口の無い、密閉された液肥ボトルを設けたものである。【００１１】  この手段により、野菜が吸収した液肥の分だけを液肥ボトルから新しく液肥を供給することができる水耕栽培装置を得られる。
【考案の効果】
【００１２】  本考案によれば、構造が簡単でボトルストッパーで根にかかる液肥の深さを調整でき野菜の根腐れや酸素不足を無くすことのできる効果のある水耕栽培装置を提供できる。【００１３】  また、ボトルストッパー上部の位置と液肥ボトル口の開口部先端位置の重なり合う高さ位置で液肥の深さが決まり、液肥は野菜に吸収された量だけ液肥ボトルから自動的に供給される。依って、新しい液肥が必要分だけ常時供給され野菜の生育に効果のある水耕栽培装置を提供できる。【００１４】  また、根の絡みを防ぐ根仕切板を設けることで培地に植えた野菜を蓋の上から抜く際に、隣の根と根が絡み抜けにくくなるのを防ぐ効果のある水耕栽培装置を提供することができる。【００１５】  また、光を通さない素材の蓋を設けることで根の嫌う光を遮断することができる。又、培地の大きさの穴を空けることで培地を動かないように固定できる効果のある水耕栽培装置が得られる。【００１６】  また、液肥ボトルに詰めた液肥は根が吸収した分だけ液肥ボトルから出て行き、液肥の淀みによる菌の発生を抑える効果のある水耕栽培装置が得られる。【００１７】  また、液肥ボトルの液肥は減った分だけ自動で出て行くので、電動ポンプを使う必要の無い効果のある水耕栽培装置が得られる。【００１８】  また、液肥ボトルは市販の飲料水用のペットボトルも使用でき、透明のペットボトルを使用すると液肥の量を確認することのできる効果のある水耕栽培装置が得られる。
【考案を実施するための最良の形態】
【００１９】  図１・２・３に示すように液肥ボトル３に設けた液肥ボトル口１０を水槽１に備えた液肥ボトル受け５に挿入する。尚、液肥ボトル受け５は液肥ボトル口１０の外径より少し大きめの内径とし液肥ボトル３が倒れないようにする。また、液肥２が培地４側へ行くように側方に複数の水路６を設け液肥の流れを良くする。【００２０】  また、図１の野菜１４の根１１に酸素が行くように液肥２の深さを調整できるように液肥ボトル受け５の内側にボトルストッパー８を設ける。又、ボトルストッパー８は液肥ボトル口１０の先を受け止め液肥２の流れを良くする構造とする。【００２１】  また、図１・２の水槽１に培地４と培地４の間に根仕切板１２を備える。根仕切板１２を備えることで根１１と隣の根１１とが絡むことがなくなり、野菜１４を培地４根１１と一緒に蓋７の上から抜き取ることができる。また、根仕切板１２は根１１に液肥２を送るために液肥通り管１３を複数設ける。これにより効率の良い収穫ができる。【００２２】  また、図２の蓋７に培地４が入る培地用開口８とボトル用開口９を設ける。尚、開口部は根の部分に光が行かない広さとする。また、蓋７の素材は光を通さない物とする。それにより生育の良い装置が得られる。
【産業上の利用可能性】
【００２３】  以上説明したように、各家庭の家の中で食卓で使う野菜を育てる楽しみや、食する喜びを提供するとともに日本の食料自給率を上げる成果を得ることができる。又、室内での花卉園芸等の観賞用として癒しの空間としての効果も期待できる。
【図面の簡単な説明】
【００２４】
【図１】  Ａ    装置の平面図  Ｂ    装置の側断面図  Ｃ    野菜・培地の拡大図
【図２】  Ａ    蓋の平面図  Ｂ    蓋の断面図  Ｃ    装置の断面図
【図３】  Ａ    液肥ボトル受け側断面図  Ｂ    液肥ボトル受け平面断面図  Ｃ    液肥ボトル受け平面図
【符号の説明】
【００２５】    １  本体                          １１  根
２  液肥                          １２  根仕切板
３  液肥ボトル                    １３  液肥通り管
４  培地                          １４  野菜
５  液肥ボトル受け
６  水路
７  蓋
８  培地用開口
９  ボトル用開口
１０  液肥ボトル口
【図１】
0003153340.tif 000003
【図２】
0003153340.tif 000004
【図３】
0003153340.tif 000005
(57)【要約】      （修正有）【課題】通風・吸湿性が高く、簡単に洗えたり、あるいは使い捨てができる吊革用手袋を提供する。【解決手段】バスや電車内の不衛生な金属棒や吊革用の使い捨て手袋で、従来の手袋の手の甲側を大きく空けることによって、脱着や指の曲げ伸ばしが容易で掴み易くなる上に、放湿・通風面でも効果を及ぼす。吸湿性の紙質であれば使い捨てが可能で、また布製は目を引くおしゃれな手袋にもなる。【選択図】図１
0003153312.tif 000002
【実用新案登録請求の範囲】
【請求項１】
手の甲の側で、手首から親指の付け根までと他指の第二関節までの部分がない手袋
【考案の詳細な説明】
【技術分野】
【０００１】  本考案は、手の甲の指を除いた大部分が空いた手袋に関するものである。
【背景技術】
【０００２】  不特定多数の人が触れるバス、電車内の金属棒や吊革は、不衛生で不潔感を抱く人が非常に多く、中にはハンカチなどを用いる人もいた。
【考案の開示】
【考案が解決しようとする課題】
【０００３】  保温・保湿性のある装飾や防寒用の従来の手袋は、夏場の車内では暑苦しく感じたり、また常に衛生状態を保つために頻繁に洗濯などができないため、吊革用としては全く不向きである。従って、通風・吸湿性が高く、簡単に洗えたり、あるいは使い捨てができる吊革用手袋が必要になるのである。
【課題を解決するための手段】
【０００４】  清潔感があって暑苦しさを感じさせず、放湿性のある衛生的な手袋であり、使用する上で曲げ易くするために、手の甲側を大きく空け、また掴み易く、べと付かないように薄地の紙や布を用いることにより問題点を解決している。
【考案の効果】
【０００５】  手の甲側の大部分が空いた手袋であるため、脱着が容易となり、実質的にも見た目にも涼しく感じられ、指輪などのアクセサリーも見える上に、手の平側に凹凸を設ければ滑りにくくなり、紙質であれば使い捨てができる。
【考案の実施するための最良の形態】
【０００６】  簡単に脱着が可能で、掴む際に指を曲げ易くするために、親指を除く他の指の第二関節を露出させることによって、指輪など気にかけることなく、通風面においても効果的であり、また接触面である手の平側に軽く凹凸をつけておくと滑ることなく掴み易くなる。
【実施例】
【０００７】  添付図面は実施の一例で、本考案の手袋１をはめたときに、実際の手の甲２及び第二関節３が露出している。
【図面の簡単な説明】
【０００８】
【図１】  本考案の手袋を着用したときの右手の甲側を示す図である。
【符号の説明】
【０００９】１    手袋本体
２    手の甲
３    指の第二関節
【図１】
0003153312.tif 000003
(57)【要約】【課題】結露水に遺骨を浸されることなく、水抜きができる骨壺を提供することを課題とする。【解決手段】何れも磁器製であって、その表面には模様が施された壺本体１と、蓋２と、壺本体１内に設置される載置盤３とからなり、壺本体１の底面には水抜き穴５を設け、載置盤３にはその底部にゴム製の脚部６を設け、更にその周縁と壺本体１の内周面との間には間隙７を形成するようにした骨壺。【選択図】図１
0003153379.tif 000002
【実用新案登録請求の範囲】
【請求項１】
何れも磁器製であって、その表面には模様が施された壺本体と、該壺本体の蓋と、該壺本体内に設置される載置盤とからなり、上記壺本体の底面には水抜き穴を設け、上記載置盤にはその底部に適当長さのゴム製の脚部を設け、更にその周縁と壺本体の内周面との間には間隙を形成するようにしたことを特徴とする骨壺。
【考案の詳細な説明】
【技術分野】
【０００１】
この考案は、結露水に遺骨を浸されることなく、水抜きができる骨壺に関するものである。
【背景技術】
【０００２】
骨壺本体内の湿気を含んだ空気により骨壺本体内壁面で結露となり、これにより内部に水が溜まる現象が多く見られる。
【０００３】
従来結露等により内部に溜まる水を素早く抜き取る骨壺として、蓋体及び骨壺本体はセラミックスを素材にするとともに、上記本体は底面に開口部を形成し、該開口部には吸水性を有する天然岩石または人工岩石からなる底板を骨壺（特開2007-275488）、容器と蓋との組み合わせを有する骨壺であって、容器が、上縁が開放された無通水性の有底の中空容器であり、容器の底の少なくとも一部に通水性を有する部分が設けられた骨壺（特開平10-127712）が提案されている。
【０００４】
また、遺骨が納められた有底の容器本体と蓋とからなり、容器本体に、容器本体内に自然に生成する水を逃がす排水路を容器の内部から外部に向けて設けた遺骨収納容器（特開平8-280761）が提案されている。
【０００５】
更に、上面が開口された有底円筒形状の骨壺本体と、骨壺本体の上面開口部を閉鎖する壺蓋と、骨壺本体の底部の外面に形成された複数の脚座と、骨壺本体の底部の中央部に穿設された水抜き穴と、水抜き穴を閉鎖する蓋体と、骨壺本体の底部の水抜き穴に向かって下降傾斜するテーパとを備え、上記蓋体の底面には複数の排水溝を形成した骨壺（実登3093016)が提案されている。
【先行技術文献】
【特許文献】
【０００６】
【特許文献１】特開2007-275488、特開平10-127712、特開平8-280761、実登3093016
【考案の概要】
【考案が解決しようとする課題】
【０００７】
しかし、特開2007-275488、特開平10-127712においては底板から結露による水が排水されるが、同時に湿気を含んだ空気が底板を通って骨壺本体に侵入し、これが結露になるため、一時的にしろ骨壺本体底部に結露による水が溜まり、収納された遺骨が水に浸される結果となる。
【０００８】
また、特開平8-280761、実登3093016においては、排水路乃至排水溝から結露による水が排水されるが、同時に湿気を含んだ空気が排水路乃至排水溝から骨壺本体に侵入し、これが結露となるため、一時的にしろ骨壺本体底部に結露等による水が溜まり、収納された遺骨が水に浸される結果となる。
【課題を解決するための手段】
【０００９】
この考案は、上記実情に鑑み、何れも磁器製であって、その表面には模様が施された壺本体と、該壺本体の蓋と、該壺本体内に設置される載置盤とからなり、上記壺本体の底面には水抜き穴を設け、上記載置盤には適当長さのゴム製の脚部を設け、更にその周縁と壺本体の内周面との間には間隙を形成するようにした骨壺を提案するものである。
【００１０】
則ち、この考案では遺骨等は載置盤上に載せて壺本体に収納されるが、壺本体の結露は壺本体の内壁面に沿って降下し、載置盤と壺本体の内周面の間隙を通って、その底部に溜められ、水抜き穴より排水される。
【００１１】
この考案では載置盤は適当長さのゴム製脚部により底部に溜められる水に水没されない高さ（例えば8mm程度）にあるため、載置盤上に載せられた遺骨等が水に浸されることがないのである。
【００１２】
なお、載置盤の底部に設けられる脚部の数は載置盤を安定して壺本体に設置するために、３本程度が適当であるが、これに限定されるものではない。
【００１３】
また、この考案では載置盤の底部にはゴム製脚部が設けられているため、磁器製の載置盤と壺本体との間のクッション効果を発揮させることができる。
【００１４】
なお、この考案においてゴム製脚部は載置盤の底部にシリコンゴム製の脚部を貼り付けて構成してもよいが、磁器製脚部にゴム部材を履かせるようにしてもよい。
【考案の効果】
【００１５】
以上要するに、この考案によれば結露水に遺骨を浸されることなく、水抜きができる骨壺に関するものである。
【図面の簡単な説明】
【００１６】
【図１】この考案の一実施例を示す骨壺の縦断側面図
【図２】同上の実施例における分解斜視図
【図３】同上の実施例における載置盤の底面方向より見た斜視図
【考案を実施するための形態】
【００１７】
何れも磁器製であって、その表面には模様が施された壺本体と、該壺本体の蓋と、該壺本体内に設置される載置盤とからなり、上記壺本体の底面には水抜き穴を設け、上記載置盤にはその底部に適当長さのゴム製脚部を設け、更にその周縁と壺本体の内周面との間には間隙を形成するようにしたことを特徴とする骨壺。
【実施例１】
【００１８】
図示の実施例に基づいてこの考案を説明すると、１は磁器製の壺本体、２は磁器製の蓋、３は壺本体１内に設置される磁器製の載置盤で、壺本体１、蓋２、載置盤３の表面には朱さくら等の絵付け模様４が施されている。
【００１９】
また、壺本体１の底面には水抜き穴５が設けられ、載置盤３底部の３箇所にはシリコンゴム製の脚部６を設け、更に載置盤３の周縁と壺本体１の内周面との間には間隙７が形成されるようにしてある。
【００２０】
なお、脚部６の長さは8mm程度とし、壺本体１の底部に溜められる水に載置盤３が水没されない様にようにしてある。
【００２１】
遺骨等は載置盤３上に載せて壺本体１内に収納され、壺本体１の結露は内壁面に沿って降下し、載置盤３と壺本体１の内周面の間隙７を通って、その底部に溜められ、水抜き穴より排水されるが、載置盤３は適当長さの脚部６により底部に溜められる水に水没されない高さにあるため、載置盤３上に載せられた遺骨等が水に浸されることがない。
【００２２】
また、この考案では脚部６はゴム製材質で構成されるため、磁器製の載置盤３と壺本体１の間に介在してクッション効果を発揮させることができる。
【産業上の利用可能性】
【００２３】
以上要するに、この考案では結露水に遺骨を浸されることなく、水抜きができる骨壺を提供できる。
【符号の説明】
【００２４】
１は壺本体
２は蓋
３は載置盤
４は壺本体、蓋、載置盤の表面に施された模様
５は水抜き穴
６はゴム製の脚部
７は間隙
【図１】
0003153379.tif 000003
【図２】
0003153379.tif 000004
【図３】
0003153379.tif 000005
(57)【要約】      （修正有）【課題】弁の開閉状態を目視にて行う為に弁の開閉状態の見間違いや、弁の開閉状態に合わせて表示板の開閉状態を変更すること自体を忘れたり、誤操作により逆の開閉表示を行なうこと、等を防止することができる自動弁開閉表示装置を提供する。【解決手段】自動弁ｃに繋がるエアー配管ｄに連結する圧力計の指針ｅの動きに連動する遮蔽板ａと遮蔽板ａの背後に固定された開閉等の文字を表記した開閉表示板ｂからなる自動弁開閉表示装置である。自動弁ｃにエアーが供給されると、圧力計の指針ｅに連動した遮蔽板ａが回転し、隠れていた箇所から背後の圧力計に表示されている開閉表示板ｂに表記された”開”の文字が現れる。【選択図】図１
0003153375.tif 000002
【実用新案登録請求の範囲】
【請求項１】
エアー圧に連動して開閉する自動弁の開閉表示装置において、自動弁に繋がるエアー配管に圧力計を連結し、当該圧力計の指針の動きに連動する遮蔽板と前記遮蔽板の背後に圧力計に固定された開閉表示板を設けてあることを特徴とする自動弁開閉表示装置。
【考案の詳細な説明】
【技術分野】
【０００１】
本案は、エアー圧に連動して開閉する自動弁においてその開閉状態を自動で表示する自動弁開閉表示装置に関するものである。
【背景技術】
【０００２】
従来の弁の開閉表示装置としては、弁の開閉状態を視認した後でその状態に合わせて、開閉の文字が書かれた表示板の片方の開又は閉の文字の上に別の平板を手動により重ね合わせて固定し、片方の開又は閉の文字を覆い隠す事によって開閉どちらかの文字のみを表示するものが提案されている。
【０００３】
【特許文献１】実開平７−１３８２号公報
【０００４】
しかしながら手動で開閉状態を表示する方法は、弁の開閉状態を目視にて行う為に弁の開閉状態の見間違いや、弁の開閉状態に合わせて表示板の開閉状態を変更すること自体を忘れたり、誤操作により逆の開閉表示を行う危険性があった。
【考案の開示】
【考案が解決しようとする課題】
【０００５】
本考案が解決しようとする課題は、エアー圧で開閉する自動弁の開閉表示装置において、弁の開閉状態を目視にて行う為に弁の開閉状態の見間違いや、弁の開閉状態に合わせて表示板の開閉状態を変更すること自体を忘れたり、誤操作により逆の開閉表示を行なうこと、等を防止することができる自動弁開閉表示装置を提供する点にある。
【課題を解決するための手段】
【０００６】
本考案は上記課題を解決するものであって、自動弁ｃに繋がるエアー配管ｄに連結する圧力計、圧力計の指針ｅの動きに連動する遮蔽板ａと前記遮蔽板ａの背後に圧力計に固定された開閉等の文字を表記した開閉表示板ｂからなる自動弁開閉表示装置である。
【０００７】
本考案における自動弁ｃは、エアー圧力によって開閉が制御されるもので有れば、その構造は特に制限されない。
【０００８】
本考案における遮蔽板aは、開閉表示板ｂに表記された開閉状態を示す文字の一つだけが視認出来る様に表記板の一部をあらかじめ欠除させるか、覗き窓を設けるようにし、自動弁ｃの開閉状態によって開閉表示板ｂに表記された開閉状態を示す文字、例えば開または閉等の文字が正しく視認できるように、圧力計の指針ｅの動きに連動して回転するように指針ｅに取り付けられていれば、その構造や材質は特に制限されない。
【０００９】
本考案における開閉状態を示す文字、例えば開閉の文字等を表記した開閉表示板ｂは、遮蔽板ａの背後に圧力計に固定されていれば、その構造や材質は特に制限されない。
【００１０】
本考案における圧力計を連結するエアー配管ｄは、自動弁ｃを開閉する電磁弁と自動弁ｃの間に設置され、長さを自由に設定することが出来、その構造や材質は特に制限されない。
【考案の効果】
【００１１】
上記の手段を用いる事によって、簡便かつ低費用にてエアー圧で開閉する自動弁の動きに連動する自動弁開閉表示装置を提供する。また当該自動弁開閉表示装置は、圧力計を連結するエアー配管の長さを自由に設定できる為、自動弁と離れた場所においても設置が可能であり、これによって場所を選ばずに開閉状態を確認する事が出来る。
【考案を実施するための最良の形態】
【００１２】
本考案の自動弁開閉表示装置は、自動弁ｃに繋がるエアー配管ｄに連結する圧力計の指針ｅの動きに連動して回転する遮蔽板ａと前記遮蔽板ａの背後に圧力計に固定された開閉表示板ｂにより自動弁の開閉状態が表示される。
【図面の簡単な説明】
【００１３】
【図１】本考案の自動弁開閉表示装置における具体的一実施例の正面図で閉の状態を示すものである。
【図２】本考案の自動弁開閉表示装置における具体的一実施例の断面図の開の状態を示すものである。
【図３】本考案の自動弁開閉表示装置における遮蔽板の正面図の一例である。
【図４】本考案の自動弁開閉表示装置における開閉表示板の正面図の一例である。
【実施例】
【００１４】
以下、添付図に従って一実施例を説明する。本考案に係る自動弁開閉表示装置は、例えば図１に示す通り取り付けられる。図１において自動弁ｃは閉の状態を示している。  この時、自動弁ｃにはエアーが供給されていないため、圧力計の指針ｅに連動した遮蔽板ａの欠除した箇所から背後の圧力計に表示されている開閉表示板ｂに表記された”閉”の文字が視認できる。  同様に図２において自動弁ｃは開の状態を示している。  この時、自動弁ｃにはエアーが供給され、圧力計の指針ｅに連動した遮蔽板ａが回転し、欠除した箇所から背後の圧力計に表示されている開閉表示板ｂに表記された”開”の文字が視認できる。
【符号の説明】
【００１５】
ａ：遮蔽板
ｂ：開閉表示板
ｃ：自動弁
ｄ：エアー配管
ｅ：圧力計の指針
【図１】
0003153375.tif 000003
【図２】
0003153375.tif 000004
【図３】
0003153375.tif 000005
【図４】
0003153375.tif 000006
(57)【要約】      （修正有）【課題】ぬいぐるみに対してラインストーンのような装飾片を利用してユーザ自身が自由に装飾を施すことが可能なぬいぐるみの装飾キットを提供する。【解決手段】接着用平面が非装飾側に形成された装飾片２と、装飾片２における接着用平面が接着可能なポリエステル製の表面からなるぬいぐるみ本体３とを備える。ぬいぐるみ本体３に対する装飾片２のボンドを介した接着を容易に行うことが可能となり、しかも出来上がった模様そのものに高級感を醸し出すこともできる。【選択図】図２
0003153361.tif 000002
【実用新案登録請求の範囲】
【請求項１】
接着用平面が非装飾側に形成された装飾片と、
上記装飾片における上記接着用平面が接着可能なポリエステル製の表面からなるぬいぐるみ本体とを備えること
を特徴とするぬいぐるみの装飾キット。
【請求項２】
接着用平面が非装飾側に形成された装飾片と、
上記装飾片における上記接着用平面が接着されたポリエステル製の表面からなるぬいぐるみ本体とを備えること
を特徴とする装飾ぬいぐるみ玩具。
【考案の詳細な説明】
【技術分野】
【０００１】
本考案は、ぬいぐるみの表面に装飾片を接着することにより自由に装飾模様を施す児童用のぬいぐるみの装飾キット、また装飾模様が施された装飾ぬいぐるみ玩具に関する。
【背景技術】
【０００２】
近年、ラインストーンと呼ばれるアクリル樹脂製の模造宝石が注目を浴びている。このラインストーンは、携帯電話や各種小物、アクセサリー、衣服等の表面の装飾性を高めるために用いられるものであり（例えば、特許文献１参照。）、好みのラインストーン模様をユーザ自身が自由にデザインして装飾を楽しむことができ、しかも出来上がった模様そのものに高級感を醸し出すことができる点において人気がある。
【先行技術文献】
【特許文献】
【０００３】
【特許文献１】実願２００８−４８６８号公報
【考案の概要】
【考案が解決しようとする課題】
【０００４】
このようなラインストーンを利用して児童がぬいぐるみに自由に装飾を施すことができるキットが近年特に要望されていたが、かかるキットは従来において何ら提案されていなかった。
【０００５】
そこで、本考案は、上述した問題点に鑑みて案出されたものであり、その目的とするところは、ぬいぐるみに対してラインストーンのような装飾片を利用してユーザ自身が自由に装飾を施すことが可能なぬいぐるみの装飾キット、またかかる装飾片を利用して装飾模様が施された装飾ぬいぐるみ玩具を提供することにある。
【課題を解決するための手段】
【０００６】
請求項１記載のぬいぐるみの装飾キットは、接着用平面が非装飾側に形成された装飾片と、上記装飾片における上記接着用平面が接着可能なポリエステル製の表面からなるぬいぐるみ本体とを備えることを特徴とする。
【０００７】
請求項２記載の装飾ぬいぐるみ玩具は、接着用平面が非装飾側に形成された装飾片と、上記装飾片における上記接着用平面が接着されたポリエステル製の表面からなるぬいぐるみ本体とを備えることを特徴とする。
【考案の効果】
【０００８】
上述した構成からなる本発明によれば、ぬいぐるみ本体３は、ポリエステル製の表面からなるとともに、装飾片における非装飾側には接着用平面が形成されているため、ボンドを介した接着を容易に行うことが可能となる。この装飾ぬいぐるみ玩具は、ユーザが上述した組立て方法を通じて好みのラインストーン模様を自由にデザインして装飾を楽しむことができ、しかも出来上がった模様そのものに高級感を醸し出すことができる。特にぬいぐるみ本体を、装飾片による装飾対象とすることにより、児童用の玩具としてのニーズにも応えることが可能となる。
【図面の簡単な説明】
【０００９】
【図１】本考案を適用したぬいぐるみの装飾キットを示す図である。
【図２】本考案を適用したぬいぐるみの装飾キットによる組立方法について説明するための図である。
【図３】完成させた装飾ぬいぐるみ玩具の例を示す図である。
【考案を実施するための形態】
【００１０】
以下、本考案の実施の形態について詳細に説明する。
【００１１】
図１は、本考案を適用したぬいぐるみの装飾キット１を示している。このぬいぐるみの装飾キット１は、装飾片２と、ぬいぐるみ本体３とを備えている。
【００１２】
装飾片２は、例えばラインストーン等を初めとしたアクリル樹脂製の模造宝石であり、装飾側２ｂがあたかも宝石のように多面体にカッティングされてなるとともに、非装飾側には接着用平面２ａが形成されてなる。この装飾片２をラインストーンで構成する場合には、直径２〜３ｍｍ程度の粒状の模造宝石で構成することになる。
【００１３】
ぬいぐるみ本体３は、装飾片２における接着用平面２ａが接着可能なポリエステル製の表面からなる。このぬいぐるみ本体３におけるポリエステル製の表面とは、例えば、ポリエステルにナイロン等の他の素材を含むものであってもよい。また、このぬいぐるみ本体３の内部は、ポリエステルで構成されていてもよいし、綿等が敷き詰められたものであってもよい。
【００１４】
このぬいぐるみ本体３について、形状、デザイン、サイズは、いかなるものであってもよいが、仮に装飾片２について上述した直径２〜３ｍｍ程度のラインストーンで構成する場合には、このぬいぐるみ本体を高さ２００ｍｍ程度、幅を１７０ｍｍ程度で構成するようにしてもよい。
【００１５】
次に、本考案を適用したぬいぐるみの装飾キット１による組立方法について説明をする。
【００１６】
先ず図２(a)に示すように、ぬいぐるみ本体３の表面にボンド１１を付着ける。このとき、ぬいぐるみ本体３の表面に付着させたボンドをヘラ等を利用して薄く伸ばすようにしてもよい。
【００１７】
次に図２(b)に示すように、ぬいぐるみ本体３の表面に付着させたボンド１１に装飾片２を接着させる。実際にはピンセット１２を利用してこの装飾片２を取り付けたり、模様配列を形成するための位置調整を行うようにしてもよい。ちなみに、ぬいぐるみ本体３は、上述したようにポリエステル製の表面からなるとともに、装飾片２における非装飾側には接着用平面２ａが形成されているため、ボンド１１を介した接着を容易に行うことが可能となる。
【００１８】
その後、ボンド１１を乾燥させることにより、装飾片２をぬいぐるみ本体３に強固に取り付けることが可能となる。
【００１９】
このような操作を繰り返し実行することにより、例えば図３(a)〜(c)に示すような装飾ぬいぐるみ玩具５を完成させることが可能となる。この装飾ぬいぐるみ玩具５は、ユーザが上述した組立て方法を通じて好みのラインストーン模様を自由にデザインして装飾を楽しむことができ、しかも出来上がった模様そのものに高級感を醸し出すことができる。特にぬいぐるみ本体３を、装飾片２による装飾対象とすることにより、児童用の玩具としてのニーズにも応えることが可能となる。
【００２０】
なお、本考案は、ぬいぐるみの装飾キット１としての適用に加えて、この完成させた装飾ぬいぐるみ玩具５として適用されるものであってもよいことは勿論である。
【符号の説明】
【００２１】
１  ぬいぐるみの装飾キット
２  装飾片
３  ぬいぐるみ本体
５  装飾ぬいぐるみ玩具
１１  ボンド
１２  ピンセット
【図１】
0003153361.tif 000003
【図２】
0003153361.tif 000004
【図３】
0003153361.tif 000005
(57)【要約】      （修正有）【課題】水面に浮遊するスカムを効率よく除去することが出来るスカム掻き寄せ装置を提供する。【解決手段】ガイドレール上をガイドローラー、ガイド軸が走行して、そのガイド軸に接続されたスクレーパーによって、水面に浮遊するすカムを掻き寄せる。ガイドローラーが走行するガイドレールに軌道を変更するための可動レールを設けたことによって、前進時と後進時の軌道を変えることを特徴とする。【選択図】図２
0003153329.tif 000002
【実用新案登録請求の範囲】
【請求項１】
汚泥かき寄せ機において、水面に浮遊するスカムをスクレーパーによって掻き寄せることを目的とするスカム掻き寄せ装置であって、ガイドレール上をガイドローラー、ガイド軸が走行して、そのガイド軸に接続されたスクレーパーによって、水面に浮遊するスカムを掻き寄せる装置であるが、ガイドローラーが走行するガイドレールに軌道を変更するための可動レールを設けた事によって、前進時と後進時の軌道を変えることを特徴とするスカム掻き寄せ装置。
【請求項２】
前記スカム掻き寄せ装置を稼動させるにあたり、汚泥かき寄せ機が稼動する動力を利用することによって、無人で、なおかつ新たな電動機等の動力を必要としないことを特徴とする請求項１記載のスカム掻き寄せ装置。
【考案の詳細な説明】
【技術分野】
【０００１】本考案は、浄水場、下水処理場あるいは各水処理設備に設置される汚泥かき寄せ機において、水面に浮遊するスカムを掻き寄せるスカム掻き寄せ装置に関する。
【背景技術】
【０００２】各種水処理に設備されている汚泥かき寄せ機は、汚泥を含んだ水から汚泥を沈殿させて汚泥と水とに分離させる装置であるが、汚泥を含んだ水の中には沈殿する汚泥のほかに水面を浮遊する不純物（スカム）があり、これらを除去する必要がある。
これらを解決するものとして、水面の水と一緒にスカムを呑み込む機構をもつスカムスキーマなどが知られている。  しかし、スカムスキーマによるスカムを除去する方法には、スカムを除去するのに対して水を呑み込む量が多く、スカムの除去を行なうことにおいての効率が悪い。
また、スカムスキーマを自動で稼動させる機構を持つものも知られているが、スカムの呑み込み除去が途中である時にスカムスキーマの自動運転が終了した時などは、スカムが呑み口に引っかかり、取り残されたスカムが水面に残留したスカムと合成し成長してスカムの除去がより困難になることがある。【０００３】本考案は、このような課題を解決しようとするものであり、水面に浮遊するスカムを効率よく除去することが出来るスカム掻き寄せ装置を提供することを目的とする。
【問題を解決するための手段】
【０００４】請求項１の考案のスカム掻き寄せ装置は、水面に浮遊するスカムのみをスクレーパーを用いて効率よく水面上で掻き寄せて除去する機構を設けたものである。
【０００５】請求項２の考案のスカム掻き寄せ装置は、水面に浮遊する不純物（スカム）をスクレーパーによって掻き寄せて除去する機構を持った装置であるが、スクレーパーを稼動させるためのガイドレールに、軌道を変えるための可動レールを設けたことによって、前進と後進時のスクレーパーの位置が変わり、水面に浮遊する不純物（スカム）を効率よく除去することが出来る。
【０００６】請求項３の考案のスカム掻き寄せ装置は、スカム掻き寄せ装置を稼動させるにあたり、汚泥かき寄せ機が稼動するフライトの動作力を本考案のスカム掻き寄せ装置の動力源として利用することによって、新たな電動機等の動力を必要としない。
【考案を実施するための形態】
【０００７】本考案のスカム掻き寄せ装置は、１フレーム、２スプロケット、３チェーン、４けり金物付チェーン、５ロッドピン付アタッチメント、６ロッド、７ガイド軸、８ガイドローラー、９スクレーパー、１０ガイドレール（キャリヤ側）１１可動レール、１２ガイドレール（リターン側）から構成されており、既に設備されている汚泥かき寄せ機が可動する１３フライトに４けり金物付チェーンを当てることによって３チェーンが動き、その３チェーンに取り付けられた５ロッドピン付アタッチメントが動き、６ロッドが往復稼動を繰り返す。
６ロッドに７ガイド軸、８ガイドローラー、９スクレーパーを付けたガイド軸は、８ガイドローラーによって１０ガイドレール（キャリヤ側）の上を走行する。
１０ガイドレール（キャリヤ側）上を前進走行するガイドローラーは、１１可動レールを押し上げて１１可動レールの上に上がり、後進走行時には軌道を変えて１２ガイドレール（リターン側）上を後進走行することになる。
１０ガイドレール（キャリヤ側）を走行し終えた８ガイドローラーは、１０ガイドレール（キャリヤ側）へと軌道を変えて走行をする。
このように前進時と後進時の軌道を変えることで、９スクレーパーの位置が変わり、効率よく１４水面に浮遊する不純物（スカム）を掻き寄せることが出来る。
【考案の効果】
【０００８】このスカム掻き寄せ装置は、従来から厄介ものとされている水面を浮遊する不純物（スカム）を効率よく除去することが出来る。
【図面の簡単な説明】
【０００９】
【図１】本考案のスカム掻き寄せ装置の実施例の平面図である。
【図２】本考案のスカム掻き寄せ装置の実施例の断面図である。
【図３】本考案のスカム掻き寄せ装置の実施例でスクレーパーの軌道を表す断面図である。
【符号の説明】
【００１０】  １  フレーム
２  スプロケット
３  チェーン
４  けり金物付チェーン
５  ロッドピン付アタッチメント
６  ロッド
７  ガイド軸
８  ガイドローラー
９  スクレーパー
１０  ガイドレール（キャリヤ側）
１１  可動レール
１２  ガイドレール（リターン側）
１３  フライト
１４  水面に浮遊する不純物（スカム）
【図１】
0003153329.tif 000003
【図２】
0003153329.tif 000004
【図３】
0003153329.tif 000005
(57)【要約】      （修正有）【課題】製造段階において、仏具の載置棚に備えさせる永久磁石と仏具に備えさせる永久磁石との極性に神経を使う必要のないようにした仏壇を提供する。【解決手段】仏具の載置棚５と仏具とにそれぞれ永久磁石７、９を備えさせた仏壇１において、該永久磁石７、９は、収納穴１３、１５内に転動自在に配設した球状体であることを特徴とする。載置棚５には永久磁石７を転動自在に収納する収納穴１３を該載置棚５の上面付近に形成し、仏具（仏像３ａ、位牌３ｂ）には永久磁石９を転動自在に収納する収納穴１５を該仏具における基部１７の下面付近に形成する。【選択図】図１
0003153330.tif 000002
【実用新案登録請求の範囲】
【請求項１】
仏具の載置棚と仏具とにそれぞれ永久磁石を備えさせた仏壇において、
該永久磁石は、収納穴内に転動自在に配設した球状体であることを特徴とする仏壇。
【考案の詳細な説明】
【技術分野】
【０００１】
本考案は、仏壇に関するものであり、特に、仏壇内に配設される仏像（本尊）、位牌等の仏具が地震等の衝撃により転倒することがないようにした仏壇に係るものである。
【背景技術】
【０００２】
仏壇内に配設される仏像（本尊）、位牌等の仏具が地震等の衝撃により転倒することがないようにした仏壇としては、例えば特開２００４−２９０６３８号公報に示すもの（以下「従来の仏壇」という。）が知られている。
【０００３】
この従来の仏壇は、永久磁石により仏具を載置棚に吸着させることにより、載置棚上の仏具が地震等の衝撃により転倒することを防止するようにしたものである。
【先行技術文献】
【特許文献】
【０００４】
【特許文献１】特開２００４−２９０６３８号公報
【考案の概要】
【考案が解決しようとする課題】
【０００５】
上記従来の仏壇については、製造段階において、仏具の載置棚に備えさせる永久磁石と仏具に備えさせる永久磁石との極性（Ｎ極、Ｓ極）に神経を使わなければならないという問題がある。
【０００６】
すなわち、上記従来の仏壇においては、例えば、仏具の載置棚に備えさせる永久磁石のＮ極に対応する位置に、仏具に備えさせる永久磁石のＳ極を配設しなければならない。このように、載置棚側の永久磁石と仏具側の永久磁石との極性を適合させなければならないということは、仏壇の製造を面倒なものにする大きな問題である。
【０００７】
上記従来の仏壇における上述の如き問題に鑑み、本考案は、製造段階において、仏具の載置棚に備えさせる永久磁石と仏具に備えさせる永久磁石との極性に神経を使う必要のないようにした仏壇を提供しようとしてなされたものである。
【課題を解決するための手段】
【０００８】
上記課題を解決するために、本考案は、下記の仏壇を提供する。
【０００９】
仏具の載置棚と仏具とにそれぞれ永久磁石を備えさせた仏壇において、
該永久磁石は、収納穴内に転動自在に配設した球状体であることを特徴とする仏壇。
【考案の効果】
【００１０】
本考案によれば、仏具の載置棚と仏具とに備えさせた永久磁石は、収納穴内に転動自在に配設した球状体であるため、仏具を載置棚上に載置したときには、各永久磁石は各収納穴内で自ら転動し、Ｎ極とＳ極とを対向させた状態で相互に引き合う。したがって、仏壇の製造段階においては、各永久磁石は、その極性を考慮することなく、単に各収納穴に投入すればよい。換言すれば、仏壇の製造段階においては、仏具の載置棚に備えさせる永久磁石と仏具に備えさせる永久磁石との極性（Ｎ極、Ｓ極）に気を使う必要は全くない。すなわち、本考案によれば、仏壇の製造が容易なものとなる。
【図面の簡単な説明】
【００１１】
【図１】図１は、本考案による仏壇の一例を概略的に示す断面図である。
【図２】図２は、同上仏壇における永久磁石とその収納穴とを拡大して概略的に示す断面図である。
【考案を実施するための形態】
【００１２】
本考案による仏壇１は、上記従来の仏壇と同様に、仏具３の載置棚５と仏具３とにそれぞれ永久磁石７、９を備えさせている。符号１１に示すものは仏壇の胴壁である。
【００１３】
仏具３には、仏像（本尊）３ａ、位牌３ｂその他、仏壇１内に載置されるものが含まれる。
【００１４】
しかして、本考案においては、該永久磁石７、９は、収納穴１３、１５内に転動自在に配設した球状体である。
【００１５】
すなわち、載置棚５には永久磁石７を転動自在に収納する収納穴１３を該載置棚５の上面付近に形成し、仏具３には永久磁石９を転動自在に収納する収納穴１５を該仏具３における基部１７の下面付近に形成する。
【００１６】
収納穴１３、１５は、図示の事例においては球状をなしているが、永久磁石７、９を転動自在に収納し得るものであれば、いかなる形状を備えたものであってもよい。
【００１７】
図２においては、仏具３（位牌３ｂ）を載置棚５上における所定の位置に近づけると、載置棚５の収納穴１３内に収納された永久磁石７と仏具３の収納穴１５内に収納された永久磁石９とがそれぞれ転動し、該永久磁石７、９のＮ極、Ｓ極が相互に対向した状態で該永久磁石７、９が相互に引き合う。したがって、仏具３は、載置棚５上に固定され、地震等の衝撃により転倒することがない。
【００１８】
永久磁石７、９としては、好ましくは、強力なネオジム磁石（ネオジウム磁石）を用いる。
【００１９】
永久磁石７、９としてネオジム磁石を用いたときには、載置棚５の永久磁石７と仏具３の永久磁石９との間の間隔が例えば１０〜１５ｍｍ程度あっても、仏具３は少々の揺れでは倒れない。
【符号の説明】
【００２０】
１  仏壇
３  仏具
３ａ  仏像
３ｂ  位牌
５  載置棚
７  永久磁石
９  永久磁石
１１  胴壁
１３  収納穴
１５  収納穴
１７  基部
【図１】
0003153330.tif 000003
【図２】
0003153330.tif 000004
【手続補正書】
【提出日】平成21年6月29日(2009.6.29)
【手続補正１】
【補正対象書類名】実用新案登録請求の範囲
【補正対象項目名】全文
【補正方法】変更
【補正の内容】
【実用新案登録請求の範囲】
【請求項１】
仏具の載置棚と仏具とにそれぞれ永久磁石を備えさせた仏壇において、
該永久磁石は、収納穴内に転動自在に配設した球状体であり、該収納穴は、該載置棚の上面付近と該仏具における基部の下面付近とに形成したことを特徴とする仏壇。